(57)【要約】【課題】流用可能な部品情報を専用のデータベースシステムを使って検索する手間を軽減させる。【解決手段】画像を印字する印字装置に、部品を挿入して、その部品が使用可能か判断する情報管理システムにおいて、電波を用いて比接触に読み書き可能な情報処理手段と、上記情報処理手段内に記憶された複数の部品固有情報を読み出す読み出し手段と、上記読み出し手段により読み出された複数の情報を解析する解析手段と、上記解析手段により解析された情報を形成装置内の表示部に表示する表示手段と、上記解析手段にて解析された情報を印刷する印刷手段と、上記解析手段により解析された情報を基に、上記部品を使用するかどうかを判断する判断手段と、上記判断手段により、上記単体部品を形成装置内で使用する場合は、部品を使用可能な状態に設定する設定手段とを有する。【選択図】        図１
2006168064.tif 000002
【特許請求の範囲】
【請求項１】
画像を印字する印字装置に、部品を挿入して、その部品が使用可能か判断する情報管理システムにおいて、
電波を用いて比接触に読み書き可能な情報処理手段、
上記情報処理手段内に記憶された複数の部品固有情報を読み出す読み出し手段、
上記読み出し手段により読み出された複数の情報を解析する解析手段、
上記解析手段により解析された情報を表示する表示手段、
上記解析手段にて解析された情報を印刷する印刷手段、
上記解析手段により解析された情報を基に、上記部品を使用するかどうかを判断する判断手段、
上記判断手段により、上記単体部品を形成装置内で使用する場合は、上記解析手段の解析された情報を基に、使用可能な最適な状態に設定する設定手段とを有することを特徴とする情報管理システム。
【請求項２】
前記解析手段は、印字装置内の制御手段にて情報を解読することを特徴とする請求項１記載の情報管理システム。
【請求項３】
前記表示手段は、印字装置内の表示手段であることを特徴とする請求項１記載の情報管理システム。
【請求項４】
前記表示手段は、印字装置内とネットワークで接続される端末の表示手段であることを特徴とする請求項１記載の情報管理システム。
【請求項５】
前記表示手段は、ホストコンピュータからのＨＴＴＰコマンドに応じて、上記印字手段内のＷｅｂサーバ手段を通じて、上記印字手段内の制御手段より、ＨＴＴＰプロトコルにより送信されることで実現されることを特徴とする請求項４記載の情報管理システム。
【請求項６】
画像を印字する印字装置に、部品を挿入して、その部品情報の内容を変更する情報管理システムにおいて、
電波を用いて比接触に読み書き可能な情報処理手段、
登録したい部品を選択する部品選択手段、
上記部品選択手段にて選択された部品に対し、選択された部品の上記情報処理手段内の記憶領域に、部品の固有情報として追加したい内容を選択する内容選択手段、
上記部品選択手段、上記内容選択手段にて選択された内容を確認する確認手段とを有することを特徴とする情報管理システム。
【請求項７】
前記確認手段は、印字装置内の確認手段であることを特徴とする請求項６記載の情報管理システム。
【請求項８】
前記確認手段は、印字装置内とネットワークで接続される端末の確認手段であることを特徴とする請求項６記載の情報管理システム。
【請求項９】
前記確認手段は、ホストコンピュータからのＨＴＴＰコマンドに応じて、上記印字手段内のＷｅｂサーバ手段を通じて、上記印字手段内の制御手段より、ＨＴＴＰプロトコルにより送信されることで実現されることを特徴とする請求項６記載の情報管理システム。
【請求項１０】
画像を印字する印字装置に、部品を挿入して、その部品が使用可能か判断する情報管理方法において、
電波を用いて比接触に読み書き可能な情報処理ステップ、
上記情報処理ステップ内に記憶された複数の部品固有情報を読み出す読み出しステップ、
上記読み出しステップにより読み出された複数の情報を解析する解析ステップ、
上記解析ステップにより解析された情報を形成装置内の表示部に表示する表示ステップ、
上記解析ステップにて解析された情報を印刷する印刷ステップ、
上記解析ステップにより解析された情報を基に、上記部品を使用するかどうかを判断する判断ステップ、
上記判断ステップにより、上記単体部品を形成装置内で使用する場合は、部品を使用可能な状態に設定する設定ステップとを有することを特徴とする情報管理方法。
【請求項１１】
前記解析ステップは、印字装置内の制御ステップにて情報を解読することを特徴とする請求項１０記載の情報管理方法。
【請求項１２】
画像を印字する印字装置に、部品を挿入して、その部品情報の内容を変更する情報管理方法において、
電波を用いて比接触に読み書き可能な情報処理ステップ、
登録したい部品を選択する部品選択ステップ、
上記部品選択ステップにて選択された部品に対し、選択された部品の上記情報処理手段内の記憶領域に、部品の固有情報として追加したい内容を選択する内容選択ステップ、
上記部品選択ステップ、上記内容選択ステップにて選択された内容を確認する確認ステップとを有することと特徴とする情報管理方法。
【発明の詳細な説明】
【技術分野】
【０００１】
本発明は、複写機を構成する部品の情報管理を行うシステムについて、特に、既に製品に装着された部品を他の製品への流用する際の流用情報が提供可能な情報管理システムおよび情報管理方法に関する。
【背景技術】
【０００２】
これまで、複写機を構成する部品の情報管理は、各部品に対応した部品番号が管理台帳などのデータベースと部品そのものに印字される、もしくは管理プレートが貼られるなどして対応付けが行なわれている。管理台帳は、コンピュータを使ったデータベースシステムを利用して行なわれているものが多く、製造される製品にそのような仕組みはなく、別のシステムで管理するものが一般となっている。
【０００３】
昨今の環境問題に対するメーカ側の対応として、製品を構成する部品を流用する動きが活発化している。そのため複写機など多くの製造業では、製品を構成する部品、もしくは部品の集合したモジュール（例えばドラムやトナーなど）を他の製品にも流用可能にすることを前提に製品設計を行うケースが多くなってきている。このような状況の中、上記のようなシステムを利用して、まだ流用可能な部品やモジュールを再利用したい、もしくは、再利用可能かどうかを知りたい場合には、一旦、その製品を管理している管理データベースでその部品番号を検索し、さらにその部品番号を利用している製品情報を参照することで、再利用可能な製品を検索していた（例えば特許文献１参照）。
【特許文献１】特開２００３−３１１７３９号公報
【発明の開示】
【発明が解決しようとする課題】
【０００４】
一般に、部品を解体する工場などでは、製品を製造する工場とは異なり、製品を管理するデータベースが解体するラインと直結していないため、分解されるモジュールとそれを流用可能な製品と対応をとるのに手間がかかる場合が多い。特に解体する工場に持ち込まれる使用済みの製品は、製造時のような製品別に整理された環境は少なく、また従来技術で紹介したデータベースシステムをその製品毎に検索しなければならない状況だと、ひとつの製品に複数流用可能なモジュールがあった場合に、その検索、整理の工数は膨大なものとなってしまう。
【０００５】
本発明は、このような流用可能な部品情報を専用のデータベースシステムを使って検索する手間を軽減させる、すなわち、部品そのものをそのまま製品に接続することで流用可能か判断することでその工数を軽減させることを目的としている。
【課題を解決するための手段】
【０００６】
本発明は以上の目的に対し、
画像を印字する印字装置に、部品を挿入して、その部品が使用可能か判断する情報管理システムにおいて、
電波を用いて比接触に読み書き可能な情報処理手段と、上記情報処理手段内に記憶された複数の部品固有情報を読み出す読み出し手段と、上記読み出し手段により読み出された複数の情報を解析する解析手段と、上記解析手段により解析された情報を形成装置内の表示部に表示する表示手段と、上記解析手段にて解析された情報を印刷する印刷手段と、上記解析手段により解析された情報を基に、上記部品を使用するかどうかを判断する判断手段と、上記判断手段により、上記単体部品を形成装置内で使用する場合は、部品を使用可能な状態に設定する設定手段とを有することと特徴し、さらには、画像を印字する印字装置に、部品を挿入して、その部品情報の内容を変更する情報管理システムにおいて、電波を用いて比接触に読み書き可能な情報処理手段と、登録したい部品を選択する部品選択手段と、上記部品選択手段にて選択された部品に対し、選択された部品の上記情報処理手段内の記憶領域に、部品の固有情報として追加したい内容を選択する内容選択手段と、上記部品選択手段、上記内容選択手段にて選択された内容を確認する確認手段とを有することと特徴とする。
【発明の効果】
【０００７】
本発明ではこのような流用可能な部品情報を専用のデータベースシステムを使って検索することなく、流用可能な部品そのものをそのまま製品に接続することで流用可能か判断することができる。このため、わざわざ製品をデータベースから検索する手間が省けるだけでなく、単体部品の状態によってはそのまま使用することができる。さらに、複数の製品を購入したユーザを想定した場合でも、寿命を迎えた製品をそのまま廃却するのではなく、まだ再利用可能なものを他の製品にそのまま移し変えるだけで使用かどうかを判断できるため、サービスマンなどメーカからの特別な援助がなくても容易に確認し、使用することが可能となる。
【０００８】
また、現在使用している製品の部品単体に対し、その部品を他の製品でも使用可能になった場合に、ＩＣチップにその情報を複写機本体から書き込めることができる。
【０００９】
さらに、第４実施形態では、それらの情報をネットワーク経由で確認、追加入力することも可能となる。
【発明を実施するための最良の形態】
【００１０】
以下本発明を実施するための最良の形態を、実施例により詳しく説明する。
【実施例】
【００１１】
〔第１実施形態〕
本発明の実施例にかかわる情報管理システムの全体構成を、図１を参照しながら説明する。本発明では、複写機を例にとって説明するが、本発明の適用範囲はこの製品形態には限らない。
【００１２】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１３】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１４】
制御装置１１０は、リーダー部２００、プリンタ部３００と電気的に接続され、さらにネットワーク４００を介して、ホストコンピュータ４０１，４０２と接続されている。
【００１５】
制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１６】
操作部１５０は、制御装置１１０に接続され、液晶タッチパネルで構成され、画像入出力システムを操作するためのユーザＩ／Ｆを提供する。
【００１７】
図２はリーダー部２００及びプリンタ部３００の概観図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６及びレンズ２１７によってＣＣＤイメージセンサ（以下ＣＣＤという）２１８へ導かれる。このように、走査された原稿の画像はＣＣＤ２１８によって読み取られる。
【００１８】
２２２はリーダー画像処理回路部であり、ＣＣＤ２１８から出力される画像データに所定の処理を施し、スキャナＩ／Ｆ１４０を介して制御装置１１０へと出力するところである。
【００１９】
３５２はプリンタ画像処理回路部であり、プリンタＩ／Ｆ１４５を介して制御装置１１０から送られる画像信号をレーザドライバへと出力するところである。
【００２０】
プリンタ部３００のレーザドライバ３１７はレーザ発光部３１３，３１４，３１５，３１６を駆動するものであり、プリンタ画像処理部３５２から出力された画像データに応じたレーザ光をレーザ発光部３１３，３１４，３１５，３１６にて発光させる。このレーザ光はミラー３４０，３４１，３４２、３４３，３４４，３４５，３４６、３４７，３４８，３４９，３５０，３５１によって感光ドラム３２５，３２６，３２７，３２８に照射され、感光ドラム３２５，３２６，３２７，３２８にはレーザ光に応じた潜像が形成される。３２１，３２２，３２３，３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２１】
用紙カセット３６０，３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５，３２６，３２７，３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラー３３６によって排出され、排紙ユニット３７０は排出された記録紙を束ねて記録紙の仕分けをしたり、仕分けされた記録紙のステイプルを行う。
【００２２】
また、両面記録が設定されている場合は、排出ローラー３３６のところまで記録紙を搬送した後、排出ローラー３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２３】
＜ＩＣチップの構成＞
図３はＩＣチップ構成の一例を示す。ＩＣチップは一般に、その通信形態として、無線／有線をとりうるが、ここでは、無線式ＩＣチップの構成を説明する。
【００２４】
無線ＩＣチップは、図３に示すように直方体の板状に形成された樹脂内に、ＩＣチップ部５０１とアンテナ部５０２とが挿入された形式となっている。チップの厚みは、１ｍｍに満たないことから、複写機を構成する部品に装着してもメカ構成を妨げるものにならない大きさとなっている。尚、無線式ＩＣチップの形成方法については、特開平８−２７６４５８号公報に記載されているので、詳細は省略する。無線式ＩＣチップ５００の通信距離は、１ｍ以内であり、通信速度は、１０〜２０ｍ秒／ｂｙｔｅである。
【００２５】
ＩＣチップ部５０１は、図４に示すように電源部５１０、復調部５１１、命令解読部５１２、制御部５１４、変調部５１６、クロック生成部５１７、入出力部５１８およびメモリ部５１９から構成される。
【００２６】
電源部５１０は、アンテナ部５０２接続され、アンテナ部５０２から電力信号を受け取り、受け取った電力信号を電荷として蓄積する。また、無線式ＩＣチップ５００の各構成部に電力を供給する。
【００２７】
復調部５１１は、受け取った電力から特定の周波数を有する信号を選択し、選択された信号からパルス信号波を抽出し、抽出した信号波を命令解読部５１２へ出力する。
【００２８】
命令解読部５１２は、復調部５１１からパルス信号波を受け取る。受け取ったパルス信号波を解読して、命令とオペランドとを抽出し、抽出した命令とオペランドとを制御部５１４へ出力する。抽出する命令には、同期信号送信命令、アクセス要求命令、アクセス命令が含まれている。
【００２９】
制御部５１４は、命令解読部５１２からの命令とオペランドとを受け取る。これらの命令には、同期信号送信命令、アクセス要求命令、アクセス命令、が含まれる。制御部５１４は、同期信号送信命令を受け取ると、引き続き５復調部５１１から同期信号波を受信し、受信した同期信号波に含まれる同期信号を抽出し、クロック生成部５１７からクロックを受け取り、受け取ったクロックに基づいて抽出した同期信号に同期する同期信号を繰り返し含む同期信号波を生成する。
【００３０】
入出力部５１８は、制御部５１４からのアクセス命令とアクセス情報とを受け取る。アクセス命令とは、Ｒｅａｄ命令およびＷｒｉｔｅ命令からなり、アクセス命令がＲｅａｄ命令である場合には、アクセス情報は、物理アドレスと読み出しバイト数とを含み、アクセス命令がＷｒｉｔｅ命令の場合には、アクセス情報は、物理アドレスと書き込みバイト数と書き込み内容を含む。
【００３１】
アンテナ部５０２は、受信アンテナであり、電波を受信し、受信した電波を電力信号に変換して電力信号を復調部５１１及び電源部５１０へ出力する。
【００３２】
＜部品情報の確認方法＞
本実施例では、プリンタ部３００の交換部品である感光ドラム３２５を例にとり説明する。尚本実施例では、複写機本体はまだ使用可能な状態ある複写機Ａと、既に複写機としての製品寿命となった複写機Ｂがあることを想定し、複写機Ｂの感光ドラムの中で、まだ寿命を迎えていない感光ドラム６００を複写機Ａで使用することを前提としている。
【００３３】
図６は本実施例で説明する感光ドラムの簡易的に表わした構造図である。感光ドラム６００は、光に感光する感光部６０５、ドラム自体を複写機の制御信号によりギアを使って駆動されるギア部６０１、６０２、さらに感光されない非感光部６０３，６０４からなる。非感光部６０３には、無線式ＩＣチップが埋め込まれており、上述したチップ構成を備えている。図７は、使用可能な感光ドラム６００を複写機Ａに挿入し、使用可能な状態か確認するフローを示す。
【００３４】
はじめに感光ドラムをプリンタ部３００の使用済みのものと交換する（Ｓ７００１）。交換後、操作部１５０にて無線式ＩＣチップと通信するための通信モードに入る（Ｓ７００２）。通信モードに入ると、操作部１５０では、図８に示すように、交換可能なモジュール一覧が表示され、交換する部品の選択画面を表示する（Ｓ７００３）。
【００３５】
交換可能なモジュールは、操作部１５０内の表示箇所８０９にて所定個数を表示する。図８では、全部で２０個の交換可能なモジュールがあることを示しており、そのうち、一度に７つを表示できるようになっている。モジュールの選択は、ボタン８０１、８０２に触れることで選択でき、本実施例では、ドラム（シアン）８１０が選択されている。選択したモジュールでよければ、ボタン８０６に触れることでドラム（シアン）８１０に関する情報が操作部１５０に表示される。
【００３６】
表示される内容は、無線式ＩＣチップ５００内のメモリ部５１９内に、予め記憶されており、もともとこのモジュールが使用されていたときの製品情報は、書き込み不可能な領域から読み出される。読み出される内容は、プリンタ部３００内の不図示の受信部より受信され、その情報は、制御装置１００に転送・解読され、操作部１５０に表示されるようになっている。
【００３７】
このように、モジュールの詳細情報として寿命情報が表示８０３に表示され（Ｓ７００４）、ボタン８０６に触れることでステータス画面８１１に表示される。ステータス画面８１１では、３万枚の寿命に対して２０００枚まで使用したことを知らせている。この情報は、無線式ＩＣチップ５００内のメモリ部５１９内の書き込み可能領域に、ドラムを使用した情報を所定のタイミングで適宜記載するようになっている。この書き込みタイミングは、電源を切るタイミングでもよく、省電力モード、もしくは、ＪＯＢ毎に記載しても良い。
【００３８】
引き続き流用可能な製品情報が画面８０３に表示され（Ｓ７００５）、ボタン８０６に触れると、ステータス画面８１１には、流用可能は製品群が表示される（不図示）。
【００３９】
製品群の表示後、設定ＳＷ８０８に触れると、図９に示すように８０９の画面が変更され、交換モジュールの使用の可否が問う画面が表示される（Ｓ７００６）。使用する場合は、ボタン８０６に触れれば良く、使用しない場合、もしくは最初から処理をやり直す場合はキャンセルボタン８０７に触れることで回避される。
【００４０】
以上の設定が終了すると、操作部１５０は、図１０に示す画面に推移し、挿入したドラムを使用可能な状態にセットすべく、画質を良好に保つための最適なプロセス条件をセットし（Ｓ７００７）、無線式ＩＣチップ５００との通信モードを終了して（Ｓ７００８）、部品情報の確認、および設定を終了する。最適なプロセス条件としては、例えば、図２０は感光ドラムの耐久枚数に応じて設定する、階調カーブを示す。本実施例の場合では、２０００枚の耐久された部品であることから、耐久枚数：１５００〜２００００  ２００１が自動的に選択される。
【００４１】
〔第２実施形態〕
次に、本発明の第２の実施例について説明するが、以下では、第１実施例と同様な構成の説明は省略し、異なる部分について説明する。本実施形態では、第１実施例で示した詳細情報をプリンタ出力する処理について、図１１を用いて説明する。
【００４２】
無線式ＩＣチップ５００を使って詳細情報を表示するシーケンスＳ８００１〜Ｓ８００５は、基本的に図７、８，９に示す、Ｓ７００１〜Ｓ７００５と同様である。ここでは異なる、Ｓ８００６以降の処理について説明する。
【００４３】
操作部１５０が流用製品などの詳細情報の表示を終え、図８に示す設定ＳＷ８０８を押すと、図１２に示す操作部画面に遷移し、詳細内容のプリントの可否を促す（Ｓ８００６）。詳細情報をプリントしたい場合は、ボタン９０６に触れると制御装置１１０により、無線式ＩＣチップ５００から読み出された詳細情報を展開して、プリンタ部３００に対して印字要求を行い、印字される（Ｓ８００７）。図１２の画面状態に対して、印刷しない場合は、ボタン９０７に触れることで印刷ＪＯＢを発生せず、以降、実施形態１と同様に処理を行う。
【００４４】
〔第３実施形態〕
続いて、本発明の第３の実施例について説明するが、以下では、第１、２実施例と同様な構成の説明は省略し、異なる部分について説明する。
【００４５】
本実施形態では、現在装着されている再利用可能なモジュールに対し、対応可能な製品情報を追加登録する処理について説明する。図１３は本実施形態の処理フローを表す。
【００４６】
まず、制御部１１０は、登録作業に入るための操作部画面を操作部１５０に対して表示させ、管理者に対してモジュールの選択を行わせる（Ｓ９００１）。続いて、操作部１５０は、登録モジュールを選択させる画面へと遷移する。図１４はモジュールの選択画面を表す。本実施形態では、ドラム（シアン）７１０に追加情報を登録する。ドラム（シアン）７１０をボタン７０１、７０２で選択し（Ｓ９００２）、ボタン７０６に触れることでドラム（シアン）に付随する無線式ＩＣチップ５００と通信を開始する（Ｓ９００３）。
【００４７】
通信が開始されると、続いて、図１５に示す追加登録したい内容を表す画面に遷移する。本実施形態では、流用情報７０３に再利用可能な製品の登録を行う。
【００４８】
内容の登録は、ボタン７０６に触れることで、製品リストを入力する画面に切り替わる（図１６）。図１６では、入力する文字に触れることで、表示部９７０に触れた文字列を表示できる（Ｓ９００４）。
【００４９】
入力を終えると、ボタン９７１を入力することで入力を終了する。入力を取りやめる場合は、ボタン９７２に触れることでキャンセルすることもできる。ボタン９７１を押すことで、図１７に示すような内容確認画面に遷移する（Ｓ９００５）。図１７では、７１１に示すステータス画面に、図１６で入力した内容が反映されている。
【００５０】
以上の内容で問題なければ、設定ＳＷ７０８に触れることで、無線式ＩＣチップ５００との通信モードを終了し（Ｓ９００６）、通常の複写機として動作する状態へと変わる。
【００５１】
〔第４実施形態〕
続いて、本発明の第４の実施例について説明するが、以下では、第１、２、３実施例と同様な構成の説明は省略し、異なる部分について説明する。
【００５２】
第１、２、３実施形態では、操作自体を情報管理システム１００のデバイスで実現していた。本実施例では、遠隔のＰＣ４０１、もしくは４０２で操作する場合について説明する。
【００５３】
第１実施例で示した、感光ドラムを取り付ける場合についての基本の処理フローは、図７と同様である。第１実施例では、本体の操作部１５０にて全て情報のアクセス、管理をしたが、本実施例では、ＲＵＩ（Ｒｅｍｏｔｏ  Ｕｓｅｒ  Ｉｎｔｅｒｆａｃｅ）により、操作部１５０の情報を、図１８に示すようなＰＣ４０１もしくは４０２上に、図８と同様な画面をＨＴＭＬプロトコルにより、ＨＴＭＬ文書を表示することが可能となる。図１９は、クライアント（ブラウザ）側とサーバ側の基本的な処理の流れを示したフローチャートである。
【００５４】
クライアント側は、ＰＣ４０１もしくはＰＣ４０２を表し、サーバ側は情報管理システム１００を表わす。クライアント側では、Ｓ１００から開始し、Ｓ１０１でユーザＵＲＬ入力待ち、入力後にＳ１０２でＨＴＴＰコマンドを送信し、Ｓ１０３でレスポンス受信待ち、受信後にＳ１０４でＨＴＭＬ文書を整形表示し、一つのセッションを終了する。一方、サーバ側では、Ｓ２００から開始し、Ｓ２０１でＨＴＴＰコマンド受信待ち、受信後にＳ２０２でＣＧＩ起動要求かどうか判定し、ＹＥＳであればＳ２０３でＣＧＩパラメータ解析し、Ｓ２０４でＣＧＩプログラムを起動し、一つのセッションを終了する。また、Ｓ２０２でＣＧＩ起動要求でない場合は、指定されたリソースファイルをレスポンスとして返信し、一つのセッションを終了する。
【００５５】
以上のコマンドをやり取りすることで、第１、２、３実施例で説明した処理のやり取りを、ＰＣ４０１もしくはＰＣ４０２と情報管理システム１００との通信で実現できる。このとき、操作部１５０で画面に触れることで実行されていたものは、マウス（不図示）などで選択することで同様の状態が実現され、さらに、詳細情報の入力に対しては、キーボート（不図示）により実現される。
【図面の簡単な説明】
【００５６】
【図１】本装置の全体構成を示すブロック図である。
【図２】本装置のリーダー部及びプリンタ部の外観図である。
【図３】無線式ＩＣチップの外観図である。
【図４】無線式ＩＣチップの構成ブロック図である。
【図５】無線式ＩＣチップ内で使用するメモリのアドレスマップの一例である。
【図６】本実施例で説明する感光ドラムの簡易的に表わした構造図である。
【図７】第１実施形態で説明する使用可能な状態を確認する処理フローである。
【図８】第１実施形態で説明する操作部１５０画面の一例である。
【図９】第１実施形態で説明する操作部１５０画面の一例である。
【図１０】第１実施形態で説明する操作部１５０画面の一例である。
【図１１】第２実施形態で説明する使用可能な状態を確認する処理フローである。
【図１２】第２実施形態で説明する操作部１５０画面の一例である。
【図１３】第３実施形態で説明する使用可能な状態を確認する処理フローである。
【図１４】第３実施形態で説明する操作部１５０画面の一例である。
【図１５】第３実施形態で説明する操作部１５０画面の一例である。
【図１６】第３実施形態で説明する操作部１５０画面の一例である。
【図１７】第３実施形態で説明する操作部１５０画面の一例である
【図１８】第４実施形態で説明する操作部１５０画面の一例である。
【図１９】第４実施形態で説明するＲＵＩの通信フローである。
【図２０】第１実施形態で説明する感光ドラムの耐久枚数に応じて設定する、階調カーブを示す図である。
【符号の説明】
【００５７】
４０１、４０２  ＰＣ
２００  リーダー装置
３００  プリンタ装置
１００  情報管理システム
１１０  コントローラ
１５０  操作部
２１０  スキャナユニット
２５０  原稿給紙ユニット
３１０  マーキングユニット
３６０  給紙ユニット
３７０  排紙ユニット
【図１】
2006168064.tif 000003
【図２】
2006168064.tif 000004
【図３】
2006168064.tif 000005
【図４】
2006168064.tif 000006
【図５】
2006168064.tif 000007
【図６】
2006168064.tif 000008
【図７】
2006168064.tif 000009
【図８】
2006168064.tif 000010
【図９】
2006168064.tif 000011
【図１０】
2006168064.tif 000012
【図１１】
2006168064.tif 000013
【図１２】
2006168064.tif 000014
【図１３】
2006168064.tif 000015
【図１４】
2006168064.tif 000016
【図１５】
2006168064.tif 000017
【図１７】
2006168064.tif 000018
【図１９】
2006168064.tif 000019
【図２０】
2006168064.tif 000020
【図１６】
2006168064.tif 000021
【図１８】
2006168064.tif 000022